(57)【要約】【課題】従来の遠距離通信技術に固有な不都合を考慮し、新規な音声ネットワーク表示を提供して、携帯装置上で個人連絡先情報表示を向上させる方法を提供すること。【解決手段】ソフトウェアコードを、携帯装置のためのオペレーティングシステムと統合するステップを含む。該コードは、携帯装置オペレーティングシステムの音声メッセージモジュール、電話モジュール、インターネットモジュール、及び個人連絡先情報モジュールと対話するように構成される。携帯装置上で個人連絡先情報表示を向上させる方法は、連絡先情報を見ること、及び第１ユーザによって残された少なくとも１つの音声メールにアクセスすることに対して有用である。【選択図】図１
2018125835.tif 000002
【特許請求の範囲】
【請求項１】
携帯装置上で個人連絡先情報表示を向上させる方法であって、
ソフトウェアコードを前記携帯装置のためのオペレーティングシステムと統合するステップであって、前記ソフトウェアコードは、前記オペレーティングシステムの音声メッセージモジュール、電話モジュール、インターネットモジュール、及び個人連絡先情報モジュールと対話するように構成されるステップと、
個人連絡先情報を増加させるための、前記ソフトウェアコードの少なくとも１つのパラメータを、第１ユーザによって構成するステップと、
少なくとも一人の第２ユーザによるアクセスのために、前記第１ユーザの前記個人連絡先情報を、少なくとも１つのサーバに送信するステップと、
前記少なくとも一人の第２ユーザが、前記音声メッセージモジュールを介して、前記第１ユーザからの音声メッセージを取り出す場合、前記少なくとも一人の第２ユーザの前記携帯装置上に、前記第１ユーザの前記個人連絡先情報を視覚的に表示するステップと、を備える
ことを特徴とする方法。
【請求項２】
前記ソフトウェアコードは、前記第１ユーザのプロファイル像を表示するように構成可能である
請求項１に記載の方法。
【請求項３】
前記ソフトウェアコードは、前記第１ユーザが、前記第１ユーザの前記携帯装置の写真格納モジュールから前記プロファイル像を選択することを可能とするように構成可能である
請求項２に記載の方法。
【請求項４】
前記ソフトウェアコードは、前記音声メッセージモジュールを介して、前記第１ユーザの名前を表示するように構成可能である
請求項１に記載の方法。
【請求項５】
前記ソフトウェアコードは、前記音声メッセージモジュールを介して、前記第１ユーザの職種を表示するように構成可能である
請求項１に記載の方法。
【請求項６】
前記ソフトウェアコードは、前記音声メッセージモジュールを介して、前記第１ユーザの少なくとも１つの雇用主名を表示するように構成可能である
請求項１に記載の方法。
【請求項７】
前記ソフトウェアコードは、前記音声メッセージモジュールを介して、前記第１ユーザの前記少なくとも１つの雇用主名の住所を表示するように構成可能である
請求項６に記載の方法。
【請求項８】
前記ソフトウェアコードは、前記音声メッセージモジュールを介して、前記第１ユーザの電話番号を表示するように構成可能である
請求項１に記載の方法。
【請求項９】
前記ソフトウェアコードは、前記少なくとも一人の第２ユーザによる前記携帯装置のタッチスクリーンとの対話を介して、前記携帯装置の電話モジュールを使用することによって、前記電話番号を作動させるように構成可能である
請求項８に記載の方法。
【請求項１０】
前記ソフトウェアコードは、前記少なくとも一人の第２ユーザの前記携帯装置の電子メールメッセージモジュールを介して、前記第１ユーザの電子メールアドレスを表示するように構成可能である
請求項１に記載の方法。
【請求項１１】
前記第１ユーザの前記電子メールアドレスは、前記少なくとも一人の第２ユーザの前記携帯装置のタッチスクリーンとの対話を介して、前記携帯装置の前記オペレーティングシステムの前記電子メールモジュールと対話するように構成可能である
請求項１０に記載の方法。
【請求項１２】
前記ソフトウェアコードは、少なくとも１つのソーシャル・メディア・プラットフォームに関連する情報及び証印を表示するように構成可能である
請求項１に記載の方法。
【請求項１３】
前記ソフトウェアコードは、前記携帯装置のタッチスクリーンとの対話を介して、前記第１ユーザの前記個人連絡先情報を、前記少なくとも一人の第２ユーザの前記携帯装置の連絡先情報モジュールへ転送するように構成可能である
請求項１に記載の方法。
【請求項１４】
前記ソフトウェアコードは、前記第１ユーザが前記少なくとも一人の第２ユーザの前記音声メッセージモジュールとの対話を完了する場合、計数器を表示するように構成可能であり、該計数器の数が増加するように構成される
請求項１に記載の方法。
【請求項１５】
携帯装置上で個人連絡先情報表示を向上させる方法であって、
前記携帯装置のオペレーティングシステムと統合するように構成されたソフトウェアコードを有する携帯アプリケーションプログラムをダウンロードするステップと、
前記オペレーティングシステムの音声メッセージモジュール及び個人連絡先情報モジュールと対話するように構成された前記ソフトウェアコードをインストールするステップと、
個人連絡先情報を増加させるための、前記ソフトウェアコードの少なくとも１つのパラメータを、第１ユーザによって構成するステップと、
少なくとも一人の第２ユーザによるアクセスのために、前記第１ユーザの前記個人連絡先情報を少なくとも１つのサーバに送信するステップと、
前記少なくとも一人の第２ユーザが、前記音声メッセージモジュールを介して、前記第１ユーザからの音声メッセージを取り出す場合、前記少なくとも一人の第２ユーザの前記携帯装置上に、前記第１ユーザの前記個人連絡先情報を視覚的に表示するステップと、
前記第１ユーザによって残された音声メッセージの履歴を表示するために、前記第１ユーザのプロファイル像をダブルタッピングするステップであって、音声メッセージの履歴の前記表示は、前記少なくとも一人の第２ユーザが聴くために、個々に選択可能である、ステップと、
前記第１ユーザによって残された最新の音声メッセージを聴くための、ユーザインターフェースを選択するステップと、を備える
ことを特徴とする方法。
【請求項１６】
前記ソフトウェアコードは、
前記第１ユーザのプロファイル像と、
前記第１ユーザの名前と、
前記第１ユーザの職種と、
前記第１ユーザの少なくとも１つの雇用主名、及び前記第１ユーザの前記少なくとも１つの雇用主名の住所と、
前記第１ユーザの電話番号と、
前記第１ユーザの電子メールアドレスと、
前記少なくとも一人の第２ユーザの前記携帯装置上の前記音声メッセージモジュールを介して、前記第１ユーザの少なくとも１つのソーシャル・メディア・プラットフォームに関連する情報及び証印と、
を表示するように構成可能である
請求項１５に記載の方法。
【請求項１７】
前記携帯装置は、携帯電話、代替的にタブレットを備える
請求項１６に記載の方法。
【請求項１８】
前記携帯装置は、時計、代替的に、車載表示画面を備える
請求項１６に記載の方法。
【請求項１９】
第１ユーザの個人連絡先情報表示を前記第１ユーザによって向上させるように設計されたソフトウェアコードを構成する方法であって、
携帯装置の設定モジュールを選択するステップと、
前記第１ユーザのプロファイル像を入力するステップと、
前記第１ユーザの名前を入力するステップと、
前記第１ユーザの職種を入力するステップと、
前記第１ユーザの少なくとも１つの雇用主名、及び前記第１ユーザの前記少なくとも１つの雇用主名の住所を入力するステップと、
前記第１ユーザの電話番号を入力するステップと、
前記第１ユーザの電子メールアドレスを入力するステップと、
前記第１ユーザの少なくとも１つのソーシャル・メディア・プラットフォームに直接アクセスするための情報を入力するステップと、
少なくとも一人の第２ユーザの携帯装置上に示されるような、前記個人連絡先情報表示を見るステップと、
前記少なくとも一人の第２ユーザによるアクセスのために、前記個人連絡先情報表示を、少なくとも１つのサーバに保存するステップと、を備える
ことを特徴とする方法。
【請求項２０】
携帯装置の設定モジュールを選択するステップと、
前記第１ユーザのプロファイル像を編集するステップと、
前記第１ユーザの名前を編集するステップと、
前記第１ユーザの職種を編集するステップと、
前記第１ユーザの少なくとも１つの雇用主名、及び前記第１ユーザの前記少なくとも１つの雇用主名の住所を編集するステップと、
前記第１ユーザの電話番号を編集するステップと、
前記第１ユーザの電子メールアドレスを編集するステップと、
前記第１ユーザの少なくとも１つのソーシャル・メディア・プラットフォームに直接アクセスするための情報を編集するステップと、
少なくとも一人の第２ユーザの携帯装置上に示されるような、前記個人連絡先情報表示を見るステップと、
前記少なくとも一人の第２ユーザによるアクセスのために、前記個人連絡先情報を少なくとも１つのサーバに保存するステップと、を任意選択的に備える
請求項１９に記載の方法。
【発明の詳細な説明】
【技術分野】
【０００１】
以下は、本開示を理解する上で有用となり得る情報を含む。本明細書で提供されるいかなる情報も、ここで記載される又は請求される発明に対する先行技術や資料であるとは認められず、具体的又は暗示的に言及されるいかなる出版物又は文書も、先行技術であるとは認められない。
【０００２】
本発明は、一般に、遠距離通信の分野に関し、より具体的には、発信者識別に関する。
【背景技術】
【０００３】
Ａｓｈｔｏｎに付与された特許文献１は、着信呼出し及び発信呼出しの間、表示のためのマルチポータルアクセスを有する電話機に関する。着信呼出し及び発信呼出しの間、表示のためのマルチポータルアクセスを有する上述の電話機は、電話呼出しの際、又は別の電話機からの呼出しを受ける際、別の電話機に提供されるプロファイルデータを、ユーザが入力することを可能にするような電話機を含む。プロファイルデータは、別の電話機に格納される必要はない。プロファイルデータは、着信呼出し又は発信呼出しの際、別の電話機に表示される画像を含む。
【先行技術文献】
【特許文献】
【０００４】
【特許文献１】米国特許出願公開第２０１３／００３５０５４号
【発明の概要】
【発明が解決しようとする課題】
【０００５】
既知の遠距離通信技術に固有である前述の不都合を考慮して、本開示は、新規な音声ネットワーク表示を提供する。本開示の一般的な目的は、以降においてより詳細に説明されるが、携帯装置上で個人連絡先情報表示の向上を提供することである。
【課題を解決するための手段】
【０００６】
携帯装置上で個人連絡先情報表示を向上させる方法を、本明細書において開示する。本方法は、ソフトウェアコードを、携帯装置のためのオペレーティングシステムと統合するステップ（該ソフトウェアコードは、オペレーティングシステムの音声メッセージモジュール、電話モジュール、インターネットモジュール、及び個人連絡先情報モジュールと対話するように構成される）と、個人連絡先情報を増加させるための、ソフトウェアコードの少なくとも１つのパラメータを、第１ユーザによって構成するステップと、少なくとも一人の第２ユーザによるアクセスのために、第１ユーザの個人連絡先情報を、少なくとも１つのサーバに送信するステップと、少なくとも一人の第２ユーザが、音声メッセージモジュールを介して、第１ユーザから音声メッセージを取り出す場合、少なくとも一人の第２ユーザの携帯装置上に、第１ユーザの個人連絡先情報を視覚的に表示するステップと、第１ユーザによって残された音声メッセージの履歴を表示するために、第１ユーザのプロファイル像をダブルタッピングするステップであって、音声メッセージの履歴表示は、少なくとも一人の第２ユーザが聴くために、個々に選択可能である、ステップと、第１ユーザにより残された最新の音声メッセージを聴くために、ユーザインターフェースを選択するステップと、を含んでもよい。
【０００７】
別の実施形態によれば、携帯装置上で個人連絡先情報表示を向上させる方法は、携帯装置のオペレーティングシステムと統合するように構成されたソフトウェアコードを有する携帯アプリケーションプログラムをダウンロードするステップと、オペレーティングシステムの音声メッセージモジュール、電話モジュール、インターネットモジュール、及び個人連絡先情報モジュールと対話するように構成されたソフトウェアコードをインストールするステップと、個人連絡先情報を増加させるための、ソフトウェアコードの少なくとも１つのパラメータを、第１ユーザによって構成するステップと、少なくとも一人の第２ユーザによるアクセスのために、第１ユーザの個人連絡先情報を、少なくとも１つのサーバに送信するステップと、少なくとも一人の第２ユーザが、音声メッセージモジュールを介して、第１ユーザから音声メッセージを取り出す場合、少なくとも一人の第２ユーザの携帯装置上に、第１ユーザの個人連絡先情報を視覚的に表示するステップと、第１ユーザによって残された音声メッセージの履歴を表示するために、第１ユーザのプロファイル像をダブルタッピングするステップであって、音声メッセージの履歴表示は、少なくとも一人の第２ユーザが聴くために、個々に選択可能である、ステップと、第１ユーザによって残された最新の音声メッセージを聴くために、ユーザインターフェースを選択するステップと、を備えてもよい。
【０００８】
別の実施形態によれば、個人連絡先情報表示を向上させるために複数のパラメータを構成する方法は、携帯装置の設定モジュールを選択するステップと、第１ユーザのプロファイル像を入力するステップと、第１ユーザの名前を入力するステップ、第１ユーザの職種を入力するステップと、第１ユーザの少なくとも１つの雇用主名、及び第１ユーザの少なくとも１つの雇用主名の住所を入力するステップと、第１ユーザの電話番号を入力するステップと、第１ユーザの電子メールアドレスを入力するステップと、第１ユーザの少なくとも１つのソーシャル・メディア・プラットフォームへ直接アクセスするための情報を入力するステップと、少なくとも一人の第２ユーザの携帯装置上に示されるような、個人連絡先情報表示を見るステップと、少なくとも一人の第２ユーザによるアクセスのために、個人連絡先情報表示を少なくとも１つのサーバに保存するステップと、を備えてもよい。
【０００９】
本発明を要約するために、本発明のいくつかの態様、利点、及び新規な特徴が本明細書で説明されてきた。そのような利点のすべては、本発明の特定の実施形態に従って必ずしも達成されなくてもよいことは理解されたい。従って、本明細書で教示されるような、１つの利点又は一群の利点を達成する又は最適化する方法において、本発明を具現化又は実行し得るが、本明細書で教示又は示唆され得る、他の利点を必ずしも達成しない。新規であると思われる本発明の特徴が、本明細書の結論部分において詳細に示されると共に、明白に主張される。本発明のこれらの及び他の特徴、態様、及び利点は、以下の図面及び詳細な記述を参照することによって、より良く理解されるであろう。
【００１０】
この明細書の記述部分を伴う図は、本開示のための実施形態及び使用方法を例示しており、携帯装置上で個人連絡先情報表示を向上させる方法は、本開示の教示に従って構築され、実施される。
【図面の簡単な説明】
【００１１】
【図１】本開示の一実施形態による、「使用中」状態の間に携帯装置上で個人連絡先情報表示を向上させる方法の斜視図
【図２】本開示の一実施形態による、図１の携帯装置上で個人連絡先情報表示を向上させる方法を絵で示した説明図
【図３】本開示の一実施形態による、携帯装置上で個人連絡先情報表示を向上させることを目的とした、複数のパラメータを構成するための使用方法を示す流れ図
【図４】本開示の一実施形態による、個人連絡先情報表示を向上させることを目的とした、複数のパラメータを編集するための使用方法を示す流れ図
【図５】本開示の一実施形態による、携帯装置上で個人連絡先情報表示を向上させる方法のための使用方法を示す流れ図
【発明を実施するための形態】
【００１２】
本発明の様々な実施形態を、添付された図面と関連させて、以下に説明する。同様な呼称は、同様な要素を意味する。
【００１３】
上で説明したように、本開示の実施形態は、遠距離通信の分野における発信者識別の向上に関し、より具体的には、個人連絡先情報表示の改善に使用されるような、携帯装置上で個人連絡先情報表示を向上させる方法に関する。
【００１４】
一般に、本開示は、携帯装置上の音声メールモジュール及び他の発信者表示モジュールにおける発信者連絡先上で示されるような、詳細なプロファイルを表示するための手段を教示し、ここで詳細なプロファイルは、個人プロファイル像、会社名及び／又は会社ロゴ、職種、電子メールアドレス、ソーシャル・メディアのアカウント及びアドレス、及びファックス番号のようなものを含む。詳細なプロファイルは、連絡先が発信するか、又は音声メールを残す場合に、ポップアップするように構成してもよい。詳細なプロファイルは、残された音声メールのロゴを含んでもよく、このロゴは個々に選択することが可能である。発信者の好みに基づいて、パラメータの全て、パラメータの幾つかを表示してもよく、又はパラメータを何も表示しなくてもよい。ソフトウェアコードは、ビジネスでの意志疎通を向上させるように設計してもよく、且つ全ての音声メールをチェックする必要性を排除して、特定の１つの音声メールを位置付けてもよく、これと同時に、通信を継続する前に、誰が発信しているか又は発信したかを知る能力を提供してもよい。
【００１５】
ここで参照符号により、図面をより具体的に参照すると、図１から図４において、個人連絡先情報表示１００の様々な図が示されている。図１は、本開示の一実施形態による、「使用中」状態１５０の間の、個人連絡先情報表示１００を示す。
【００１６】
図示されるように、個人連絡先情報表示１００は、携帯装置１２０上で個人連絡先情報表示１００を向上させることを目的として、第１ユーザ１４１及び少なくとも一人の第２ユーザ１４０によって使用される場合に、有益であり得る。例示されるように、個人連絡先情報表示１００は、携帯装置１２０上で個人連絡先情報表示を向上させる方法を含んでもよい。携帯装置１２０のオペレーティングシステムに統合されたソフトウェアコード１１０は、第１ユーザ１４１によって複数のパラメータを表示するように構成してもよく、これら複数のパラメータは、その後、第１ユーザ１４１が第２ユーザ１４０のために音声メッセージを残すことが発生する場合、少なくとも一人の第２ユーザ１４０の携帯装置１２０上に示されてもよい。
【００１７】
一実施形態において、複数のパラメータは、第１ユーザ１４１のプロファイル像１６０、第１ユーザ１４１の名前１６５、第１ユーザ１４１の職種１７０、第１ユーザ１４１に対する雇用主名１７５、第１ユーザ１４１の雇用主の住所１８０、第１ユーザに対する電話番号１８５、第１ユーザ１４１に対する電子メールアドレス１９０、及び第１ユーザ１４１に対する少なくとも１つのソーシャル・メディア・プラットフォーム１９５に関連する情報及び証印を含んでもよい。
【００１８】
更に、第１ユーザ１４１が少なくとも一人の第２ユーザ１４０のために音声メッセージを残した後、複数のパラメータは、少なくとも一人の第２ユーザ１４０の携帯装置１２０上の音声メッセージモジュールを介して表示されるように構成してもよい。加えて、第１ユーザ１４１は、要求がある場合において、複数のパラメータを編集してもよい。更に、第１ユーザ１４１は、少なくとも一人の第２ユーザ１４０の携帯装置１２０上の表示から、複数のパラメータの幾つかを、任意選択的に含まずにおいてもよい。
【００１９】
ここでプロファイル像１６０の表示を参照することにおいて、ソフトウェアコード１１０は、第１ユーザ１４１のプロファイル像１６０を表示するように構成してもよい。第１ユーザ１４１は、設定モードにある携帯装置１２０を用いて、第１ユーザ１４１の携帯装置１２０内の写真格納モジュールからプロファイル像１６０を選択してもよい。プロファイル像１６０は、その後、第１ユーザ１４１の携帯装置１２０の個人連絡先情報モジュールに格納してもよい。選択されたプロファイル像１６０は、その後、少なくとも一人の第２ユーザ１４０の携帯装置１２０上に表示可能であってもよい。
【００２０】
ここで第１ユーザ１４１の名前１６５を参照することにおいて、ソフトウェアコード１１０は、少なくとも一人の第２ユーザ１４０の携帯装置１２０上の音声メッセージモジュールを介して、第１ユーザ１４１の名前１６５を表示するように構成してもよい。第１ユーザ１４１は、設定モードにある携帯装置１２０を用いて、表示されるべき名前１６５を編集してもよく、且つ名前１６５は、その後、第１ユーザ１４１の携帯装置１２０の個人連絡先情報モジュールに格納してもよい。名前１６５は、その後、少なくとも一人の第２ユーザ１４０の携帯装置１２０上に表示可能であってもよい。
【００２１】
ここで第１ユーザ１４１の職種１７０を参照することにおいて、ソフトウェアコード１１０は、少なくとも一人の第２ユーザ１４０の携帯装置１２０上の音声メッセージモジュールを介して、第１ユーザ１４１の職種１７０を表示するように構成してもよい。第１ユーザ１４１は、設定モードにある携帯装置１２０を用いて、表示されるべき職種１７０を編集してもよく、且つ職種１７０は、その後、第１ユーザ１４１の携帯装置１２０の個人連絡先情報モジュールに格納してもよい。職種１７０は、その後、少なくとも一人の第２ユーザ１４０の携帯装置１２０上に表示可能であってもよい。
【００２２】
ここで第１ユーザ１４１の少なくとも１つの雇用主名１７５を参照することにおいて、ソフトウェアコード１１０は、少なくとも一人の第２ユーザ１４０の携帯装置１２０上の音声メッセージモジュールを介して、第１ユーザ１４１の少なくとも１つの雇用主名１７５を表示するように構成してもよい。第１ユーザ１４１は、設定モードにある携帯装置１２０を用いて、表示されるべき少なくとも１つの雇用主名１７５を編集してもよく、且つ少なくとも１つの雇用主名１７５は、その後、第１ユーザ１４１の携帯装置１２０の個人連絡先情報モジュールに格納してもよい。少なくとも１つの雇用主名１７５は、その後、少なくとも一人の第２ユーザ１４０の携帯装置１２０上に表示可能であってもよい。
【００２３】
ここで第１ユーザ１４１の雇用主の住所１８０を参照することにおいて、ソフトウェアコード１１０は、少なくとも一人の第２ユーザ１４０の携帯装置１２０上の音声メッセージモジュールを介して、第１ユーザ１４１の雇用主の住所１８０を表示するように構成してもよい。第１ユーザ１４１は、設定モードにある携帯装置１２０を用いて、表示されるべき雇用主の住所１８０を編集してもよく、且つ雇用主の住所１８０は、その後、第１ユーザ１４１の携帯装置１２０の個人連絡先情報モジュールに格納してもよい。雇用主の住所１８０は、その後、少なくとも一人の第２ユーザ１４０の携帯装置１２０上に表示可能であってもよい。
【００２４】
ここで第１ユーザ１４１の電話番号１８５を参照することにおいて、ソフトウェアコード１１０は、少なくとも一人の第２ユーザ１４０の携帯装置１２０上の音声メッセージモジュールを介して、第１ユーザ１４１の電話番号１８５を表示するように構成してもよい。ソフトウェアコード１１０は、第１ユーザ１４１の携帯装置１２０のＳＩＭカードから電話番号１８５を取り出せてもよい。ソフトウェアコード１１０は、少なくとも一人の第２ユーザ１４０による携帯装置１２０のタッチスクリーンとの対話を介して、携帯装置１２０の電話モジュールを用いることによって、電話番号１８５を作動させるように更に構成してもよい。本開示の別の実施形態において、ソフトウェアコード１１０は、携帯装置１２０のための電話モジュールから電話番号１８５を取り出せてもよい。選択されたプロファイル像１６０は、その後、少なくとも一人の第２ユーザ１４０の携帯装置１２０上に表示可能であってもよい。
【００２５】
ここで第１ユーザ１４１の電子メールアドレス１９０を参照することにおいて、ソフトウェアコード１１０は、少なくとも一人の第２ユーザ１４０の携帯装置１２０の電子メールメッセージモジュールを介して、第１ユーザ１４１の電子メールアドレス１９０を表示するように構成してもよい。第１ユーザ１４１は、設定モードにある携帯装置１２０を用いて、表示されるべき電子メールアドレス１９０を編集してもよく、且つ電子メールアドレス１９０は、その後、第１ユーザ１４１の携帯装置１２０の個人連絡先情報モジュールに格納してもよい。第１ユーザ１４１の電子メールアドレス１９０は、少なくとも一人の第２ユーザ１４０の携帯装置１２０のタッチスクリーンとの対話を介して、携帯装置１２０のオペレーティングシステムの電子メールモジュールと対話するように構成してもよい。第１ユーザ１４１は、表示されるべき電子メールアドレス１９０の編集が可能であってもよく、且つ電子メールアドレス１９０は、その後、第１ユーザ１４１の携帯装置１２０の個人連絡先情報モジュールに格納してもよい。電子メールアドレス１９０は、その後、少なくとも一人の第２ユーザ１４０の携帯装置１２０上に表示可能であってもよい。
【００２６】
ここで少なくとも一人の第２ユーザ１４０の少なくとも１つのソーシャル・メディア・プラットフォーム１９５に関連する情報及び証印を参照することにおいて、ソフトウェアコード１１０は、少なくとも一人の第２ユーザ１４０の携帯装置１２０上の少なくとも１つのソーシャル・メディア・プラットフォーム１９５に関連する情報及び証印を表示するように構成してもよい。第１ユーザ１４１は、設定モードにある携帯装置１２０を用いて、表示されるべき少なくとも１つのソーシャル・メディア・プラットフォーム１９５に関連する情報及び証印を編集してもよく、且つ少なくとも１つのソーシャル・メディア・プラットフォーム１９５に関連する情報及び証印は、その後、第１ユーザ１４１の携帯装置１２０の個人連絡先情報モジュールに格納してもよい。少なくとも１つのソーシャル・メディア・プラットフォーム１９５に関連する情報及び証印は、その後、少なくとも一人の第２ユーザ１４０の携帯装置１２０上に表示可能であってもよい。ソフトウェアコード１１０は、少なくとも一人の第２ユーザ１４０による携帯装置１２０のタッチスクリーンとの対話を介して、携帯装置１２０のインターネットモジュールを用いることによって、少なくとも１つのソーシャル・メディア・プラットフォーム１９５を閲覧するように更に構成してもよい。
【００２７】
加えて、ソフトウェアコード１１０は、計数器２０５を表示するように構成してもよく、計数器２０５は、第１ユーザ１４１が、少なくとも一人の第２ユーザ１４０の携帯装置１２０上の音声メッセージモジュールとの対話を完了する場合に、数が増加するように構成される。少なくとも一人の第２ユーザ１４０は、付加的なインターフェースにアクセスできるように更に構成してもよく、そのインターフェースでは、以前の音声メッセージを見てもよく、そして必要に応じて、聴くために、以前の音声メッセージを続けて選択してもよい。
【００２８】
更に、ソフトウェアコード１１０は、第１ユーザ１４１の個人連絡先情報２００を、携帯装置１２０のタッチスクリーンとの対話を介して、少なくとも一人の第２ユーザ１４０の携帯装置１２０の個人連絡先情報モジュールに転送するように構成してもよい。
【００２９】
図１を続けて参照すると、携帯装置１２０上で個人連絡先情報表示を向上させることを目的とした、この開示の実施形態のためのプロセスステップは、ソフトウェアコード１１０を、携帯装置１２０のためのオペレーティングシステムと統合するステップを含んでもよく、ソフトウェアコード１１０は、オペレーティングシステムの音声メッセージモジュール、電話モジュール、インターネットモジュール、及び個人連絡先情報モジュールと対話するように構成される。第１ユーザ１４１は、その後、個人連絡先情報を増加させるための、ソフトウェアコード１１０の少なくとも１つのパラメータを構成してもよい。構成が完了すると、第１ユーザ１４１の個人連絡先情報は、少なくとも一人の第２ユーザ１４０によるアクセスのために、少なくとも１つのサーバ１３０（図２）に転送してもよい。最後に、少なくとも一人の第２ユーザ１４０が、音声メッセージモジュールを介して、第１ユーザ１４１から音声メッセージを取り出す場合、第１ユーザ１４１の個人連絡先情報は、少なくとも一人の第２ユーザ１４０の携帯装置１２０上に視覚的に表示してもよい。視覚的に表示された情報は、付加的なインターフェースを含んでもよく、付加的なインターフェースは、第１ユーザ１４１のプロファイル像１５１をダブルタッピングすることを介して、第１ユーザ１４１によって残された音声メッセージの履歴表示にアクセスすることを含んでもよい。音声メッセージの履歴表示は、少なくとも一人の第２ユーザ１４０が聴くために、個々に選択可能であってもよい。更に、第２ユーザ１４０は、第１ユーザ１４１によって残された最新の音声メッセージを聴くために、選択可能なユーザインターフェース１５２にアクセスしてもよい。
【００３０】
図２は、本開示の一実施形態による、図１の絵で表した図を示す。上記のように、第１ユーザ１４１が、少なくとも１つのパラメータを構成し、且つ連絡先情報モジュールに対するパラメータを保存した後、第１ユーザの携帯装置１２０は、第１ユーザ１４１の個人連絡先情報を、少なくとも１つのサーバ１３０へ転送してもよい。少なくとも１つのサーバ１３０によって一旦格納されると、第１ユーザ１４１に対する個人連絡先情報は、少なくとも一人の第２ユーザ１４０の携帯装置１２０によってアクセスされるように、利用可能であってもよい。
【００３１】
加えて、第１ユーザ１４１の個人連絡先情報は、少なくとも一人の第２ユーザ１４０の携帯装置１２０上に視覚的に表示してもよく、且つ少なくとも一人の第２ユーザ１４０は、携帯装置１２０のタッチスクリーンと対話してもよい。本開示の代替的実施形態において、携帯装置のタッチスクリーンとの対話は、キーボード、スタイラス、指、代替的に、対面式テレビ会議を備えてもよい。携帯装置１２０を更に参照することにおいて、携帯装置１２０は、携帯電話、代替的に、タブレットを備えてもよい。本開示の代替的実施形態において、携帯装置１２０は、時計、代替的に、車載表示画面を更に備えてもよい。更に、携帯装置１２０は、インターネットアクセスを有する任意の携帯型電子装置を備えてもよい。
【００３２】
図３は、本開示の一実施形態による、携帯装置１２０上で個人連絡先情報表示１００を向上させるための方法を示す流れ図である。特に、個人連絡先情報表示を向上させるための複数のパラメータを構成する方法３００は、上で説明されたような個人連絡先情報表示１００の、１つ以上の構成要素又は特徴を含んでもよい。例示されるように、個人連絡先情報表示を向上させるための複数のパラメータを構成する方法３００は、携帯装置１２０の設定モジュールを選択するステップ１（３０１）と、第１ユーザ１４１のプロファイル像１６０を入力するステップ２（３０２）と、第１ユーザ１４１の名前１６５を入力するステップ３（３０３）と、第１ユーザ１４１の職種１７０を入力するステップ４（３０４）と、第１ユーザ１４１の少なくとも１つの雇用主名１７５、及び第１ユーザ１４１の少なくとも１つの雇用主名の住所１８０を入力するステップ５（３０５）と、第１ユーザ１４１の電話番号１８５を入力するステップ６（３０６）と、第１ユーザ１４１の電子メールアドレス１９０を入力するステップ７（３０７）と、第１ユーザ１４１の少なくとも１つのソーシャル・メディア・プラットフォーム１９５に直接アクセスするための情報を入力するステップ８（３０８）と、少なくとも一人の第２ユーザ１４０の携帯装置１２０上に示されるような、個人連絡先情報表示１００を見るステップ９（３０９）と、少なくとも一人の第２ユーザ１４０によるアクセスのために、個人連絡先情報表示１００を、少なくとも１つのサーバ１３０に保存するステップ１０（３１０）と、を含んでもよい。
【００３３】
図４は、本開示の一実施形態による、携帯装置１２０上で個人連絡先情報表示１００を向上させるための方法を示す流れ図である。特に、個人連絡先情報表示を向上させるための複数のパラメータを編集する方法４００は、上で説明されたような個人連絡先情報表示１００の、１つ以上の構成要素又は特徴を含んでもよい。例示されるように、個人連絡先情報表示を向上させるための複数のパラメータを編集する方法４００は、携帯装置１２０の設定モジュールを選択するステップ１（４０１）と、第１ユーザ１４１のプロファイル像１６０を編集するステップ２（４０２）と、第１ユーザ１４１の名前１６５を編集するステップ３（４０３）と、第１ユーザ１４１の職種１７０を編集するステップ４（４０４）と、第１ユーザ１４１の少なくとも１つの雇用主名１７５、及び第１ユーザ１４１の少なくとも１つの雇用主名の住所１８０を編集するステップ５（４０５）と、第１ユーザ１４１の電話番号１８５を編集するステップ６（４０６）と、第１ユーザ１４１の電子メールアドレス１９０を編集するステップ７（４０７）と、第１ユーザ１４１の少なくとも１つのソーシャル・メディア・プラットフォーム１９５に直接アクセスするための情報を編集するステップ８（４０８）と、少なくとも一人の第２ユーザ１４０の携帯装置１２０上に示されるような個人連絡先情報表示１００を見るステップ９（４０９）と、少なくとも一人の第２ユーザ１４０によるアクセスのために、個人連絡先情報１００を少なくとも１つのサーバ１３０に保存するステップ１０（４１０）と、を含んでもよい。
【００３４】
ステップ４０１からステップ４１０は、任意選択的なステップであり、全ての場合において履行されなくてもよい。使用方法４００の任意選択的なステップは、それらのステップを使用方法３００及び５００の他のステップと区別するように、図４では点線を用いて示されている。更に注意するべきことであるが、使用方法において説明されたステップは、ユーザの好みに応じて、多くの異なった順序で実行することが可能である。
【００３５】
図５は、本開示の一実施形態による、携帯装置１２０上で個人連絡先情報表示１００を向上させるための方法を示す流れ図である。特に、携帯装置上で個人連絡先情報表示を向上させるための使用方法５００は、上で説明されたような個人連絡先情報表示１００の１つ以上の構成要素又は特徴を含んでもよい。例示されるように、個人連絡先情報表示のための方法５００は、ステップ１（５０１）である、携帯装置１２０のオペレーティングシステムと統合するように構成されたソフトウェアコード１１０を有する携帯アプリケーションプログラムをダウンロードするステップと、ステップ２（５０２）である、オペレーティングシステムの音声メッセージモジュール、電話モジュール、インターネットモジュール、及び個人連絡先情報モジュールと対話するように構成されたソフトウェアコード１１０をインストールするステップと、ステップ３（５０３）である、個人連絡先情報１００を増加させるための、ソフトウェアコード１１０の少なくとも１つのパラメータを、第１ユーザ１４１によって構成するステップと、ステップ４（５０４）である、少なくとも一人の第２ユーザ１４０によるアクセスのために、第１ユーザ１４１の個人連絡先情報２００を、少なくとも１つのサーバ１３０に送信するステップと、ステップ５（５０５）である、少なくとも一人の第２ユーザ１４０が、音声メッセージモジュールを介して、第１ユーザ１４１からの音声メッセージを取り出す場合、少なくとも一人の第２ユーザ１４０の携帯装置１２０上に、第１ユーザ１４１の個人連絡先情報１００を視覚的に表示するステップと、ステップ６（５０６）である、第１ユーザ１４１によって残された音声メッセージの履歴を表示するために、第１ユーザ１４１のプロファイル像１６０をダブルタッピングするステップであって、ここで音声メッセージの履歴表示は、少なくとも一人の第２ユーザ１４０が聴くために、個々に選択可能である、ステップと、ステップ７（５０７）である、第１ユーザ１４１によって残された最新の音声メッセージを聴くために、ユーザインターフェースを選択するステップと、を含んでもよい。
【００３６】
ステップ５０６及び５０７は、任意選択的なステップであり、全ての場合において履行されなくてもよい。使用方法５００の任意選択的なステップは、それらのステップを使用方法３００及び４００の他のステップと区別するように、図５では点線を用いて示されている。更に、使用方法において説明されたステップは、ユーザの好みに応じて、多くの異なった順序で実行することが可能である。
【００３７】
本明細書での主張において、「〜をするステップ（ｓｔｅｐ  ｏｆ）」を使用しているが、「〜のためのステップ（ｓｔｅｐ  ｆｏｒ）」と解釈されるべきではなく、且つ米国特許法（３５Ｕ．Ｓ．Ｃ．）１１２条（ｆ）を援用することを意図していない。更に、適切な環境の下では、設計上の好み、ユーザの好み、マーケティング上の好み、コスト、構造的要求、利用可能な材料、技術的進歩などのような論点を考慮すると、個人連絡先情報表示のための他の方法（例えば、上述のリストの範囲内に異なるステップの順序、ステップの削除又は追加、メンテナンスステップを含むこと、又はメンテナンスステップを除外することなど）は、本明細書において教示されている。
【００３８】
本明細書で説明された発明の実施形態は例証的なものであり、且つ、実質的に等価な結果を達成するための、数多くの変更例、変形例及び再編成例を容易に構想することが可能であり、これらの全ては、本発明の趣旨及び範囲の中に包含される。更に、前述の要約の目的は、米国特許商標庁及び公衆全般、そして特に科学者、技術者及び、特許又は法律用語若しくは専門語になじみのない技術実務者が、大まかな調査から、本出願の技術的開示の性質及び本質を迅速に判定するのを可能とすることである。
【図１】
2018125835.tif 000003
【図２】
2018125835.tif 000004
【図３】
2018125835.tif 000005
【図４】
2018125835.tif 000006
【図５】
2018125835.tif 000007